【手続補正書】
【提出日】令和3年10月14日(2021.10.14)
【手続補正１】
【補正対象書類名】特許請求の範囲
【補正対象項目名】全文
【補正方法】変更
【補正の内容】
【特許請求の範囲】
【請求項１】
ポジティブな基本形状を有する片面三方向割出し可能な切削インサート（１４）であって、
前記切削インサート（１４）の材料の量によって規定される材料体積ＶＦと、
すくい面（２４）と、
前記すくい面（２４）と対向して位置するベース支持面（２６）と、
前記ベース支持面（２６）に対して垂直で、前記切削インサート（１４）の中心を通って延在するインサート軸ＡＩであって、前記ベース支持面（２６）から前記すくい面（２４）に向かう上向き方向ＤＵと、前記上向き方向ＤＵと反対の下向き方向ＤＤと、前記上向き方向および前記下向き方向（ＤＵ、ＤＤ）に垂直で、前記インサート軸ＡＩから離れるように延在する外向き方向ＤＯを規定する、インサート軸ＡＩと、
前記ベース支持面（２６）から前記すくい面（２４）の最高点まで、前記インサート軸ＡＩに平行に測定可能な切削インサート高さＨＩと、
前記すくい面（２４）と前記ベース支持面（２６）とを接続する周面（２８）と、
前記周面（２８）と前記すくい面（２４）との交点に沿って形成された切削刃（３２）であって、前記インサート軸ＡＩと平行な図において、刃外接直径ＤＥを有する仮想刃外接円ＣＥを規定する、切削刃（３２）と、
前記すくい面（２４）および前記ベース支持面（２６）に開口するねじ穴（３０）であって、
前記ベース支持面（２６）との交点にあるねじ穴底部（３１）と、
前記すくい面（２４）との交点にあるねじ穴頂部（３３）と、
前記ねじ穴底部（３１）から前記ねじ穴頂部（３３）まで延在するボイドの体積として計算されるボイド体積ＶＳと、
前記インサート軸ＡＩに平行な図では、前記すくい面（２４）と前記ねじ穴（３０）との交点で規定される穴円ＣＳであって、穴径ＤＳを有する、穴円ＣＳと、を備える、ねじ穴（３０）と、
を備え、
前記ベース支持面（２６）は、前記インサート軸ＡＩに平行な底面図において、ベース直径ＤＢを有する仮想ベース外接円ＣＢを規定し、
前記周面（２８）は、第一、第二、第三、第四、第五および第六の側部当接面（３８Ａ、３８Ｂ、３８Ｃ、３８Ｄ、３８Ｅ、３８Ｆ）を備え、
前記切削刃（３２）は、前記インサート軸ＡＩに平行な上面図において、刃内接直径ＤＭを有する刃内接円ＣＭを規定し、前記切削刃（３２）は、３つの主副刃（４８Ａ、４８Ｂ、４８Ｃ）と３つの二次副刃（４７Ａ、４７Ｂ、４７Ｃ）を備え、前記主副刃（４８Ａ、４８Ｂ、４８Ｃ）は前記二次副刃（４７Ａ、４７Ｂ、４７Ｃ）と交互に並び、前記主副刃と前記二次副刃の間の各交点にコーナー副刃（４６、４６Ａ、４６Ｂ、４６Ｃ、４６Ｄ、４６Ｅ、４６Ｆ）を有し、
前記ベース外接直径ＤＢが前記刃外接直径ＤＥよりも小さく、
前記ボイド体積ＶＳと前記材料体積ＶＦとの体積比がＶＳ／ＶＦ≧０．３０の条件を満たし、
前記刃外接直径ＤＥが、ＤＥ＜６ｍｍの条件を満たす、切削インサート（１４）。
【請求項２】
前記体積比がＶＳ／ＶＦ＞０．３５の条件を満たす、請求項１に記載の切削インサート（１４）。
【請求項３】
前記穴径ＤＳと前記刃内接直径ＤＭとのインサート厚さ直径比が、ＤＳ／ＤＭ＞０．６０の条件を満たす、請求項１または２に記載の切削インサート（１４）。
【請求項４】
主副刃長ＬＭと、隣接する前記コーナー副刃（４６、４６Ａ、４６Ｂ、４６Ｃ、４６Ｄ、４６Ｅ、４６Ｆ）の半分をそれぞれが含む二次副刃長ＬＳとの刃長比が、ＬＭ／ＬＳ＞０．８０の条件を満たす、請求項１〜３のいずれか一項に記載の切削インサート（１４）。
【請求項５】
各二次副刃（４７、４７Ａ、４７Ｂ、４７Ｃ）に隣接する前記周面（２８）の一部分を除き、前記第二の切削副刃に隣接する前記周面（２８）の残部分は、前記インサート軸と平行である、請求項１〜４のいずれか一項に記載の切削インサート（１４）。
【請求項６】
前記インサート軸ＡＩに平行な上面図において、前記主副刃と前記二次副刃（４８Ａ、４８Ｂ、４８Ｃ、４７Ａ、４７Ｂ、４７Ｃ）との間に形成される全ての内角λが鈍角である、請求項１〜５のいずれか一項に記載の切削インサート（１４）。
【請求項７】
前記刃外接直径ＤＥが、ＤＥ＞４ｍｍの条件を満たす、請求項１〜６のいずれか一項に記載の切削インサート（１４）。
【請求項８】
前記ベース支持面（２６）が前記切削インサートの唯一の研削面である、請求項１〜７のいずれか一項に記載の切削インサート（１４）。
【請求項９】
前記６つの側部当接面（３８Ａ、３８Ｂ、３８Ｃ、３８Ｄ、３８Ｅ、３８Ｆ）は前記ベース支持面（２６）に対して垂直である、請求項１〜８のいずれか一項に記載の切削インサート（１４）。
【請求項１０】
逃げ凹部（５３）が、各二次副刃（４８Ａ、４８、４８Ｃ、４７Ａ、４７Ｂ、４７Ｃ）の一部分の下に形成される、請求項１〜９のいずれか一項に記載の切削インサート（１４）。
【請求項１１】
前記インサート軸ＡＩに平行な底面図において、当接面と隣接する切削刃部分との間の最大間隔（５７）が、主副刃（４８）に隣接して配置される、請求項１〜１０のいずれか一項に記載の切削インサート（１４）。
【請求項１２】
工具ホルダ（１２）であって、
後端（１３Ａ）と、
前端（１３Ｂ）と、
前記後端から前記前端まで延在する工具外周（１３Ｃ）と、
前記工具ホルダの中心を通って延在する回転軸ＡＲであって、前記後端から前記前端まで延在する前向き方向ＤＦと、前記前向き方向とは反対の後ろ向き方向ＤＲと、前記回転軸に垂直で、前記回転軸から前記工具外周に向かう外向き方向ＤＯと、前記外向き方向とは反対の内向き方向ＤＩとを規定する、回転軸ＡＲと、
前記後端の前方に延在するシャンク部分（１８）と、
前記シャンク部分の前方に前記前端まで延在する切削部分（２０）であって、前記前端に工具ホルダ直径（ＤＴ）と、前記前端と前記工具外周との交点から後方に延在する正確に２つの円周方向に離間した縦溝（２１）とを有する、切削部分（２０）とを備える、工具ホルダ（１２）において、
前記縦溝のそれぞれは、前記前端と前記工具外周との前記交点に、そこから形成されたポケット（２２）を備え、
前記２つのポケット（２２）のそれぞれは、
シート当接面（６２）と、
前記シート当接面（６２）に開口するねじ付きポケット穴（６４）と、
前記シート当接面（６２）を横切る第一、第二および第三の横方向当接面（６６、６６Ａ、６６Ｂ、６６Ｃ）と、
を備え、
各第一の横方向当接面（６６Ａ）は、前記工具外周（１３Ｃ）に隣接して位置し、前記外向き方向および前記前向き方向（ＤＯ、ＤＦ）に延在し、
各第二の横方向当接面（６６Ｂ）は、前記第一の横方向当接面（６６Ａ）よりも前記回転軸ＡＲに近く、第一の逃げ凹部（５３）によって前記第一の横方向当接面（６６Ａ）から分離され、各第二の横方向当接面は、前記内向き方向および前記前向き方向（ＤＩ、ＤＦ）に延在し、
各第三の横方向当接面（６６Ｃ）は、前記第二の横方向当接面（６６Ｂ）よりも回転軸ＡＲにより近く、かつより前方に位置し、前記第二の逃げ凹部によって前記第二の横方向当接面（６６Ｂ）から分離され、各第三の横方向当接面（６６Ｃ）は、前記内向き方向および前記前向き方向（ＤＩ、ＤＦ）に延在し、
前記工具ホルダ直径（ＤＴ）は、ＤＴ＜１１ｍｍの条件を満たし、
前記第二および第三の横方向当接面は、前記シート当接面の平面図において、互いに平行ではない、工具ホルダ（１２）。
【請求項１３】
前記２つのポケット（２１）の間で、前記工具ホルダ（１２）の前記前端（１３Ｂ）から凹んだ最前点（７１Ａ）まで支持ウェブ（７０）が延在する、請求項１２に記載の工具ホルダ（１２）。
【請求項１４】
（ａ）前記支持ウェブ（７０）の最前面（７１Ａ）の中央部分が平面状である、もしくは（ｂ）前記工具ホルダ（１２）の側面図において、前記支持ウェブ（７０）の最前面７１Ａ）が凹状に形成される、または（ｃ）その両方である、請求項１２または１３に記載の工具ホルダ（１２）。
【請求項１５】
請求項１２〜１４のいずれか一項に記載の工具ホルダ（１２）と、
前記工具ホルダ（１２）の前記ポケット（２１）のうちの１つに取り付けられた請求項１〜１１のいずれか一項に記載の切削インサート（１４）であって、
前記インサートの主副刃（４８、４８Ａ、４８Ｂ、４８Ｃ）のうちの正確に１つは、前記工具ホルダ（１２）の前方に延在し、
前記インサートの二次副刃（４７、４７Ａ、４７Ｂ、４７Ｃ）のうちの正確に１つは、前記工具ホルダ（１２）の前方に延在し、
前記インサートの二次副刃（４７、４７Ａ、４７Ｂ、４７Ｃ）のうちの正確に１つは、前記工具外周（１３Ｃ）の外向きに延在する、切削インサート（１４）と、
を備える、インサートミル（１０）。